(57)【要約】【課題】タッチノイズを低減するためのＹ字型ヘッドホン用のネックストラップを提供する。【解決手段】Ｙ字型ヘッドホンの使用において、分岐コード部１２，１３におけるタッチノイズ遮断箇所１２ａ，１３ａが、ネックストラップ４０の固定部材５０−１，５０−２により圧力が加わった状態で固定され、タッチノイズ遮断箇所１２ａ，１３ａとヘッドホン本体２０−１，２０−２との間のコード部分が弛んだ状態になる。そのため、分岐箇所１１からタッチノイズ遮断箇所１２ａ，１３ａへ伝播してきたタッチノイズは、張力の加わったバンド部材４１へと伝わって首周辺で吸収されるので、ヘッドホン本体２０−１，２０−２から出力されるタッチノイズを、簡単な構造で効率良く低減できる。【選択図】図１
0003143645.tif 000002
【実用新案登録請求の範囲】
【請求項１】
電気信号を音声に変換する左耳用の第１のヘッドホン本体と、
電気信号を音声に変換する右耳用の第２のヘッドホン本体と、
Ｙ字型に分岐する分岐箇所から延設されて前記第１のヘッドホン本体に接続された第１の分岐コード部、前記分岐箇所から延設されて前記第２のヘッドホン本体に接続された第２の分岐コード部、及び前記分岐箇所から延設されてプラグを介して又は直接、携帯用音響機器が接続される共通コード部を有するＹ字型コードと、
を有するヘッドホンに装着されるネックストラップであって、
前記第１の分岐コード部における第１のタッチノイズ遮断箇所に着脱自在に圧接され、前記第１の分岐コード部における前記第１のタッチノイズ遮断箇所から前記第１のヘッドホン本体までの間を弛ませ、前記分岐箇所から前記第１のタッチノイズ遮断箇所へ伝播するタッチノイズを引き込む第１の固定部材と、
前記第２の分岐コード部における第２のタッチノイズ遮断箇所に着脱自在に圧接され、前記第２の分岐コード部における前記第２のタッチノイズ遮断箇所から前記第２のヘッドホン本体までの間を弛ませ、前記分岐箇所から前記第２のタッチノイズ遮断箇所へ伝播するタッチノイズを引き込む第２の固定部材と、
前記第１及び第２の固定部材が両端に取り付けられて首周辺に架け渡され、前記第１及び第２の固定部材により引き込まれた前記タッチノイズを前記首周辺へ伝播するバンド部材と、
を有することを特徴とするネックストラップ。
【請求項２】
請求項１記載のネックストラップにおいて、
前記第１及び第２の固定部材は、
前記分岐コード部における前記タッチノイズ遮断箇所を把持する把持部と、
前記把持部に延設され、前記バンド部材の端部を収容して固定するコード固定部と、
前記コード固定部の外側に摺動自在に被せられ、押圧時に前記把持部を狭持して前記把持部を前記タッチノイズ遮断箇所に圧着させる筒状のスライド部と、
前記コード固定部の外側と前記スライド部の内周との間に設けられ、前記スライド部の押圧時に、前記スライド部を前記コード固定部に対して摺動させて係止する係止部と、
をそれぞれ有することを特徴とするネックストラップ。
【請求項３】
請求項１又は２記載のネックストラップにおいて、
前記把持部、前記コード固定部、前記スライド部、及び前記係止部は、樹脂部材により形成されていることを特徴とするネックストラップ。
【請求項４】
請求項１〜３のいずれか１項に記載のネックストラップにおいて、
前記バンド部材は、樹脂部材により形成されていることを特徴とするネックストラップ。
【考案の詳細な説明】
【技術分野】
【０００１】
本考案は、Ｙ字型コードに左耳用及び右耳用の一対のヘッドホン本体が接続されたＹ字型ヘッドホンに着脱自在に装着されるネックストラップ、特に、コード部分が使用者の被服や人体等に接触した時に生じる振動がコード部分を伝播してヘッドホン本体に伝わり、雑音として聞こえる接触性雑音（即ち、タッチノイズ）を低減するためのＹ字型ヘッドホン用ネックストラップに関するものである。
【背景技術】
【０００２】
従来、使用者の胸の前でコードが分岐するＹ字型ヘッドホン等に関する技術としては、例えば、次のような文献等に記載されるものがあった。
【０００３】
【特許文献１】特開２００４−１１２３４０号公報（特許第３８３８１８１号公報）
【特許文献２】特開２００４−２４２２１５号公報
【０００４】
特許文献１には、Ｙ字形ヘッドホンを改良した、コードを首の後ろに回して装着する所謂ネックチェーン方式のヘッドホンに関する技術が記載されている。この技術では、ヘッドバンドの無い、且つ左右のインナイヤー型又はアウトイヤー型ヘッドホン本体が首の後ろを介したコードで繋がっているヘッドホンにおいて、そのコードの中間部に帯状のストラップ部を形成するようにしたものである。これにより、コード中間部の帯状のストラップ部が滑り止めの役割をして、首に掛けておいてもヘッドホンがずれ落ちることがないといった利点がある。
【０００５】
又、特許文献２には、Ｙ字形ヘッドホンに装着できるネックストラップに関する技術が記載されている。この技術では、Ｙ字型コードに左耳用及び右耳用の一対のインナイヤー型ヘッドホン本体が接続されたＹ字型ヘッドホンにおいて、Ｙ字型コードにおける一対の分岐コード部の間に、ネックストラップのバンド部材を取り付け可能な構成にすることにより、バンド部材を首に掛けることにより、簡単な構成で、携帯用音響機器（例えば、ＭＤプレーヤ、ＣＤプレーヤ等）を首に吊り下げることができるようになっている。
【考案の開示】
【考案が解決しようとする課題】
【０００６】
しかしながら、従来のインナイヤー型又はアウトイヤー型のヘッドホンでは、次のような課題があった。
【０００７】
例えば、携帯用音響機器を首に吊り下げてヘッドホン本体により音楽を聴く場合、コード部分が使用者の被服や人体等に接触して機械的な振動が生じることが多々ある。このような振動は、導体が樹脂で被覆されたコード部分を伝播してヘッドホン本体のケース部へ伝わり、このケース部がスピーカの役割をしてその振動が増幅され、タッチノイズとして聴いている音楽の邪魔をするので、音楽が聞き取り難く、不快感を感じると言った課題があった。
【０００８】
このような課題を解決するために、例えば、ヘッドホン本体を改良し、このヘッドホン本体のケース部に吸振性の樹脂部材を設けてタッチノイズを吸収したり、あるいは、ヘッドホン本体内にキャンセル回路を設け、タッチノイズとは逆相のキャンセル信号を発生させてタッチノイズを消去する技術が考えられる。しかし、このような技術を採用すると、ヘッドホン本体のケース部が大きくなって小型化が難しくなったり、キャンセル回路を付加することにより、電気的な回路構成が複雑になってコスト高になると言った問題が生じる。そのため、比較的簡単な構成で、タッチノイズを低減できる技術が望まれていた。
【課題を解決するための手段】
【０００９】
本考案のネックストラップは、電気信号を音声に変換する左耳用の第１のヘッドホン本体と、電気信号を音声に変換する右耳用の第２のヘッドホン本体と、Ｙ字型に分岐する分岐箇所から延設されて前記第１のヘッドホン本体に接続された第１の分岐コード部、前記分岐箇所から延設されて前記第２のヘッドホン本体に接続された第２の分岐コード部、及び前記分岐箇所から延設されてプラグを介して又は直接、携帯用音響機器が接続される共通コード部を有するＹ字型コードと、を有するヘッドホンに装着されるネックストラップである。
【００１０】
そして、本考案のネックストラップでは、前記第１の分岐コード部における第１のタッチノイズ遮断箇所に着脱自在に圧接され、前記第１の分岐コード部における前記第１のタッチノイズ遮断箇所から前記第１のヘッドホン本体までの間を弛ませ、前記分岐箇所から前記第１のタッチノイズ遮断箇所へ伝播するタッチノイズを引き込む第１の固定部材と、前記第２の分岐コード部における第２のタッチノイズ遮断箇所に着脱自在に圧接され、前記第２の分岐コード部における前記第２のタッチノイズ遮断箇所から前記第２のヘッドホン本体までの間を弛ませ、前記分岐箇所から前記第２のタッチノイズ遮断箇所へ伝播するタッチノイズを引き込む第２の固定部材と、前記第１及び第２の固定部材が両端に取り付けられて首周辺に架け渡され、前記第１及び第２の固定部材により引き込まれた前記タッチノイズを前記首周辺へ伝播するバンド部材と、を有することを特徴とする。
【考案の効果】
【００１１】
本考案によれば、Ｙ字型ヘッドホンの使用において、第１、第２の分岐コード部における第１、第２のタッチノイズ遮断箇所が、第１、第２の固定部材により圧力が加わった状態で固定され、第１、第２のタッチノイズ遮断箇所と第１、第２のヘッドホン本体との間のコード部分が弛んだ状態になる。そのため、分岐箇所から第１、第２のタッチノイズ遮断箇所へ伝播してきたタッチノイズは、張力の加わったバンド部材へ伝わって首周辺で吸収されるので、第１、第２のヘッドホン本体から出力されるタッチノイズを、簡単な構造で効率良く低減できる。
【００１２】
更に、ネックストラップをＹ字型コードに装着することにより、第１、第２のタッチノイズ遮断箇所が、第１、第２の固定部材で固定されてバンド部材で繋がれるので、第１、第２のヘッドホン本体での前記タッチノイズを低減できる効果に加えて、ストラップ機能（吊り紐の機能）が生じ、Ｙ字型ヘッドホンを首から吊り下げることができ、使い勝手が良い。
【考案を実施するための最良の形態】
【００１３】
本考案を実施するための最良の形態は、以下の好ましい実施例の説明を添付図面と照らし合わせて読むと、明らかになるであろう。但し、図面はもっぱら解説のためのものであって、本考案の範囲を限定するものではない。
【実施例１】
【００１４】
（実施例１の構成）
図１は、本考案の実施例１におけるネックストラップが装着されたＹ字形ヘッドホンを示す概略の構成図である。
【００１５】
このＹ字型ヘッドホンは、Ｙ字型コード１０と、電気信号を音声に変換する左耳用の第１のヘッドホン本体（例えば、インナイヤー型のヘッドホン本体）２０−１と、電気信号を音声に変換する右耳用の第２のヘッドホン本体（例えば、インナーイヤー型のヘッドホン本体）２０−２と、リモートコントロール部又は携帯用音響機器（例えば、ＭＤプレーヤ、ＣＤプレーヤ等）等のジャックに挿着されるプラグ３０と、Ｙ字型コード１０に着脱自在に装着されるネックストラップ４０とにより構成されている。
【００１６】
Ｙ字型コード１０は、複数本の導体が絶縁性の外皮部材（例えば、塩化ビニール等の軟質性樹脂の外皮部材）により被覆されたコードにより形成されており、このＹ字型に分岐する分岐箇所１１には、第１の分岐コード部１２及び第２の分岐コード部１３が延設されると共に、共通コード部１４が延設されている。第１の分岐コード部１２の端部には、左耳用のインナーイヤー型ヘッドホン本体２０−１が接続され、第２の分岐コード部１３の端部にも、右耳用のインナーイヤー型ヘッドホン本体２０−２が接続されている。左耳用のヘッドホン本体２０−１と右耳用のヘッドホン本体２０−２とは、同一構造であり、例えば、内部に電気／音声変換器であるドライバユニットを収納したケース２１と、このケース２１の開口部に装着され、外耳道に挿入されるイヤーピース２２等とにより構成されている。共通コード部１４の端部には、プラグ３０が接続されている。
【００１７】
第１の分岐コード部１２における第１のタッチノイズ遮断箇所１２ａと、第２の分岐コード部１３における第２のタッチノイズ遮断箇所１３ａとの間には、ネックストラップ４０が着脱自在に装着される。ネックストラップ４０は、樹脂部材等により形成されたバンド部材４１と、このバンド部材４１の一端に取り付けられ、第１のタッチノイズ遮断箇所１２ａに着脱自在に圧接される第１の固定部材５０−１と、バンド部材４１の他端に取り付けられ、第２のタッチノイズ遮断箇所１３ａに着脱自在に圧接される第２の固定部材５０−２とにより構成されている。
【００１８】
第１の固定部材５０−１は、第１の分岐コード部１２における第１のタッチノイズ遮断箇所１２ａから第１のヘッドホン本体２０−１までの間を弛ませ、分岐箇所１１から第１のタッチノイズ遮断箇所１２ａへ伝播するタッチノイズを引き込む機能を有している。第２の固定部材５０−２は、第１の固定部材５０−１と同一の構造であり、第２の分岐コード部１３における第２のタッチノイズ遮断箇所１３ａから第２のヘッドホン本体２０−２までの間を弛ませ、分岐箇所１１から第２のタッチノイズ遮断箇所１３ａへ伝播するタッチノイズを引き込む機能を有している。バンド部材４１は、使用者の首周辺に架け渡され、第１及び第２の固定部材５０−１，５０−２により引き込まれたタッチノイズをその首周辺へ伝播する機能を有している。
【００１９】
図２（ａ）、（ｂ）、（ｃ）は、図２中のネックストラップ４０における第１の固定部材５０−１を拡大した概略の構成図であり、同図（ａ）は分離状態の斜視図、同図（ｂ）は結合状態の斜視図、及び、同図（ｃ）はロック状態の斜視図である。図３（ａ）、（ｂ）は、図２の固定部材５０−１における把持部及びコード固定部を示す構成図であり、同図（ａ）は平面図、及び、同図（ｂ）は正面図である。更に、図４（ａ）、（ｂ）は、図２の固定部材５０−１におけるスライド部を示す構成図であり、同図（ａ）は平面図、及び、同図（ｂ）は正面図である。
【００２０】
第１の固定部材５０−１は、第１の分岐コード部１２におけるタッチノイズ遮断箇所１２ａを把持するための弾性を有する鉤形の把持部５１を有し、この把持部５１に、ほぼ柱状（例えば、円柱状）のコード固定部５２が延設されている。コード固定部５２の端部には、挿入穴５２ａが形成され、この挿入穴５２ａに対してバンド部材４１の端部が挿着されている。コード固定部５２の外側には、ほぼ筒状（例えば、円筒状）のスライド部５３が摺動自在に被せられている。スライド部５３は、これが把持部５１側へ押圧された時に、把持部５１を狭持してこの把持部５１をタッチノイズ遮断箇所１２ａに圧接させる機能を有している。スライド部５３の外周面には、複数の環状突起５３ａが形成されている。コード固定部５２の外周面とスライド部５３の内周面との間には、そのスライド部５３の押圧時に、スライド部５３をコード固定部５２に対して摺動させて係止する係止部５４が形成されている。
【００２１】
係止部５４は、例えば、スライド部５３の内周面に対向して突設された一対の突起５４ａと、コード固定部５２の外周面に長手方向に沿って形成され、一対の突起５４ａを受け入れて案内するための一対の案内溝５４ｂと、この一対の案内溝５４ｂのバンド部材４１側の端部にそれぞれ突設され、案内溝５４ｂ内に圧入された突起５４ａの離脱を阻止するための一対の楔形の係合突起５４ｃと、一対の案内溝５４ｂの把持部５１側にほぼＬ字形に形成され、一対の突起５４ａを回転させて係止するための一対の係止溝５４ｄとにより構成されている。
【００２２】
把持部５１、コード固定部５２、案内溝５４ｂ、係合突起５４ｃ、及び係止溝５４ｄは、例えば、樹脂部材により一体的に形成されている。又、スライド部５３、及び突起５４ａも、例えば、樹脂部材により一体的に形成されている。
【００２３】
（実施例１のネックストラップの使用方法）
バンド部材４１の両端に第１、第２の固定部材５０−１，５０−２を取り付けてネックストラップ４０を組み立てる場合、図２（ａ）に示すように、例えば、バンド部材４１の一端をコード固定部５２の挿入穴５２ａへ挿入して固定する。バンド部材４１に通したスライド部５３を位置決めしてコード固定部５２の挿入穴５２ａ側へ押し込み、スライド部５３内の一対の突起５４ａを、コード固定部５２側における一対の係合突起５４ｃの傾斜面を滑らせて案内溝５４ｂ内に遊嵌する。
【００２４】
すると、図２（ｂ）に示すように、スライド部５３の一対の突起５４ａは、一対の案内溝５４ｂ内において係合突起５４ｃから係止溝５４ｄまでの間において移動できるので、コード固定部５２に対してスライド部５３が摺動可能に装着される。分岐コード部１２，１３におけるタッチノイズ遮断箇所１２ａ，１３ａに対してほぼ直角方向から、把持部５１の端部とコード固定部５２との間隙箇所を押し当てると、タッチノイズ遮断箇所１２ａ，１３ａが把持部５１内に挿入される。
【００２５】
図２（ｃ）に示すように、スライド部５３における環状突起５３ａ箇所を手で把持し、スライド部５３を把持部５１側へ押し込んで一対の突起５４ａを一対のＬ字形の係止溝５４ｄへ当接させ、スライド部５３を所定角度だけ回転させると、一対の突起５４ａが一対のＬ字形の係止溝５４ｄ内に係止され、スライド部５３がロックされる。この時、コード固定部５２における挿入穴５２ａ側の端部は、スライド部５３の端部から突出した状態になる。なお、突出した状態にならない構造にしても良い。ロック状態では、スライド部５３の内周面が把持部５１を上下から挟み込んで押圧するので、この把持部５１によりタッチノイズ遮断箇所１２ａ，１３ａが圧接され、ネックストラップ４０が分岐コード部１２，１３に対して装着される。
【００２６】
ネックストラップ４０を分岐コード部１２，１３から取り外す場合は、手で環状突起５３ａ箇所を把持したスライド部５３を、所定角度だけ反転させて一対の突起５４ａを一対の係止溝５４ｄから離脱させ、スライド部５３のロック状態を解除する。スライド部５３をコード固定部５２のバンド部材４１側へ移動させて、スライド部５３を狭持部５１から引き離せば、把持部５１によるタッチノイズ遮断箇所１２ａ，１３ａへの圧接状態が解除され、把持部５１の端部とコード固定部５２との間隙箇所が解放される。解放された間隙箇所からタッチノイズ遮断箇所１２ａ，１３ａを引き出せば、分岐コード部１２，１３からネックストラップ４０を取り外すことができる。
【００２７】
（実施例１のＹ字形ヘッドホンの使用例）
図５は、図１のＹ字型ヘッドホンの使用例を示す図である。
使用者は、Ｙ字型コード１０にネックストラップ４０を装着してこのネックストラップ４０を首に掛けると共に、プラグ３０を携帯用音響機器６０のジャックへ挿入し、各ヘッドホン本体２０−１，２０−２のイヤーピース２２を耳へ挿入する。これにより、携帯用音響機器６０が首から吊り下げられ、両耳で携帯用音響機器６０からの音楽を聴くことができる。この際、分岐コード部１２，１３におけるタッチノイズ遮断箇所１２ａ，１３ａとヘッドホン本体２０−１，２０−２との間は弛み、ネックストラップ４０、タッチノイズ遮断箇所１２ａ，１３ａ、分岐コード部１２，１３、分岐箇所１１、及び共通コード部１４の経路は、携帯用音響機器６０の重みで、下方向へ張力が加わった状態になる。
【００２８】
音楽を聴いている時、Ｙ字型コード１０のある部分（例えば、共通コード部１４の一部）６１が使用者の被服や人体等に接触して機械的な振動が生じた場合、この振動によるタッチノイズは、張力が加わった分岐箇所１１、分岐コード部１２，１３、タッチノイズ遮断箇所１２ａ，１３ａ、及び固定部材５０−１，５０−２を経由してバンド部材４１へ伝播し、首周辺へ伝わって吸収される。そのため、タッチノイズ遮断箇所１２ａ，１３ａとヘッドホン本体２０−１，２０−２との間の弛んだコード部分には、タッチノイズが伝わらず、聴いている音楽の邪魔をすることもないので、不快感を感じることもない。
【００２９】
（実施例１の効果）
本実施例１によれば、次の（ａ）、（ｂ）のような効果がある。
（ａ）  Ｙ字型ヘッドホンの使用において、分岐コード部１２，１３におけるタッチノイズ遮断箇所１２ａ，１３ａが、ネックストラップ４０の固定部材５０−１，５０−２により圧力が加わった状態で固定され、タッチノイズ遮断箇所１２ａ，１３ａとヘッドホン本体２０−１，２０−２との間のコード部分が弛んだ状態になる。そのため、分岐箇所１１からタッチノイズ遮断箇所１２ａ，１３ａへ伝播してきたタッチノイズは、張力の加わったバンド部材４１へと伝わって首周辺で吸収されるので、ヘッドホン本体２０−１，２０−２から出力されるタッチノイズを、簡単な構造で効率良く低減できる。
（ｂ）  ネックストラップ４０をＹ字型コード１０に装着することにより、タッチノイズ遮断箇所１２ａ，１３ａが、固定部材５０−１，５０−２で固定されてバンド部材４１で繋がれるので、ヘッドホン本体２０−１，２０−２でのタッチノイズを低減できる効果に加えて、ストラップ機能が生じ、Ｙ字型ヘッドホンを首から吊り下げることができ、使い勝手が良い。
【００３０】
（変形例）
本考案は、上記実施例１に限定されず、種々の利用形態や変形が可能である。この利用形態や変形例としては、例えば、次の（ｉ）、（ｉｉ）のようなものがある。
（ｉ）  ヘッドホン本体２０−１，２０−２は、図示以外の形状のものに変更したり、あるいは、インナイヤー型に代えてアウトイヤー型のヘッドホン本体を接続しても良い。
（ｉｉ）  ネックストラップ４０の固定部材５０−１，５０−２において、コード固定部５２及びスライド部５３は、断面角形にする等、図示以外の形状や構造のものに変更しても良い。又、バンド部材４１は、金属等のチェーン構造にする等、図示以外の形状や構造のものに変更しても良い。
【図面の簡単な説明】
【００３１】
【図１】本考案の実施例１におけるネックストラップが装着されたＹ字形ヘッドホンを示す概略の構成図である。
【図２】図２中のネックストラップにおける第１の固定部材を拡大した概略の構成図である。
【図３】図２の固定部材における把持部及びコード固定部を示す構成図である。
【図４】図２の固定部材におけるスライド部を示す構成図である。
【図５】図１のＹ字型ヘッドホンの使用例を示す図である。
【符号の説明】
【００３２】
１０      Ｙ字型コード
１１      分岐箇所
１２，１３      分岐コード部
１２ａ，１３ａ      タッチノイズ遮断箇所
２０−１，２０−２      ヘッドホン本体
３０      プラグ
４０      ネックストラップ
４１      バンド部
５０−１，５０−２      固定部材
５１      把持部
５２      コード固定部
５３      スライド部
５４      係止部
【図１】
0003143645.tif 000003
【図２】
0003143645.tif 000004
【図３】
0003143645.tif 000005
【図４】
0003143645.tif 000006
【図５】
0003143645.tif 000007